【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】  (a)約1035 kPa (150 psia)より高い圧力及び約-40℃(-40°F)より低い温度で流体を収容するの適した熱交換器本体であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)複数のバッフル
を含む熱交換器システム。
【請求項２】  (a)圧力約1035 kPa (150 psia)〜約7590 kPa (1100 psia)および温度約-123℃(-190°F)〜約-62℃(-80°F)の加圧液化天然ガスを収容するのに適した熱交換器本体であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧液化天然ガスを収容するのに適した強度及び剛性を有する、及び
(b)複数のバッフル
を含む熱交換器システム。
【請求項３】  (a)約1035 kPa (150 psia)より高い圧力及び約-40℃(-40°F)より低い温度で流体を収容するの適した冷却容器であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)熱交換手段
を含む冷却器システム。
【請求項４】  (a)約1035 kPa (150 psia)より高い圧力及び約-40℃(-40°F)より低い温度で流体を収容するの適した気化容器であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)熱交換手段
を含む気化器システム。
【請求項５】  (a)約1035 kPa (150 psia)より高い圧力及び約-40℃(-40°F)より低い温度で流体を収容するの適したセパレータ容器であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)少なくとも一つの分離バッフル
を含むセパレータシステム。
【請求項６】  (a)圧力約1035 kPa (150 psia)〜約7590 kPa (1100 psia)および温度約-123℃(-190°F)〜約-62℃(-80°F)の加圧液化天然ガスを収容するのに適したセパレータ容器であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧液化天然ガスを収容するのに適した強度及び剛性を有する、及び
(b)少なくとも一つの分離バッフル
を含むセパレータシステム。
【請求項７】  (a)約1035 kPa (150 psia)より高い圧力及び約-40℃(-40°F)より低い温度で流体を収容するの適したプロセスカラムであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)パッキング
を含むプロセスカラムシステム。
【請求項８】  (a)圧力約1035 kPa (150 psia)〜約7590 kPa (1100 psia)および温度約-123℃(-190°F)〜約-62℃(-80°F)の加圧液化天然ガスを収容するのに適したプロセスカラムであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧液化天然ガスを収容するのに適した強度及び剛性を有する、及び
(b)パッキング
を含むプロセスカラムシステム。
【請求項９】  (a)約1035 kPa (150 psia)より高い圧力及び約-40℃(-40°F)より低い温度で流体を収容するの適したポンプケーシングであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)ドライブ取り付けフランジ
を含むポンプシステム。
【請求項１０】  (a)圧力約1035 kPa (150 psia)〜約7590 kPa (1100 psia)および温度約-123℃(-190°F)〜約-62℃(-80°F)の加圧液化天然ガスを収容するのに適したポンプケーシングであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧液化天然ガスを収容するのに適した強度及び剛性を有する、及び
(b)ドライブ取り付けフランジ
を含むポンプシステム。
【請求項１１】  (a)約1035 kPa (150 psia)より高い圧力及び約-40℃(-40°F)より低い温度で流体を収容するの適したフレアラインであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)フレアスクラバー
を含むフレアシステム。
【請求項１２】  (a)圧力約1035 kPa (150 psia)〜約7590 kPa (1100 psia)および温度約-123℃(-190°F)〜約-62℃(-80°F)の加圧液化天然ガスを収容するのに適したフレアラインであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧液化天然ガスを収容するのに適した強度及び剛性を有する、及び
(b)フレアスクラバー
を含むフレアシステム。
【請求項１３】  (a)約1035 kPa (150 psia)より高い圧力及び約-40℃(-40°F)より低い温度で流体を収容するの適した少なくとも一つの保存容器であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)少なくとも一つの分配パイプ
を含む流動ライン分配ネットワークシステム。
【請求項１４】  (a)約1035 kPa (150 psia)より高い圧力及び約-40℃(-40°F)より低い温度で流体を収容するの適した少なくとも一つの分配パイプであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧流体を収容するのに適した強度及び剛性を有する、及び
(b)少なくとも一つの保存容器
を含む流動ライン分配ネットワークシステム。
【請求項１５】  (a)圧力約1035 kPa (150 psia)〜約7590 kPa (1100 psia)および温度約-123℃(-190°F)〜約-62℃(-80°F)の加圧液化天然ガスを収容するのに適した少なくとも一つの保存容器であって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧液化天然ガスを収容するのに適した強度及び剛性を有する、及び
(b)少なくとも一つの分配パイプ
を含む流動ライン分配ネットワークシステム。
【請求項１６】  (a)圧力約1035 kPa (150 psia)〜約7590 kPa (1100 psia)および温度約-123℃(-190°F)〜約-62℃(-80°F)の加圧液化天然ガスを収容するのに適した少なくとも一つの分配パイプであって、9wt%未満のニッケルを含有し、かつ830 MPa (120 ksi)を越える引張り強さおよび約-73℃(-100°F)に満たないDBTTを有する超高強度、低合金鋼を含む材料の複数の別々の板を一緒に接合して構成されており、ここで、前記別々の板の間の接合は、前記圧力及び温度条件で前記加圧液化天然ガスを収容するのに適した強度及び剛性を有する、及び
(b)少なくとも一つの保存容器
を含む流動ライン分配ネットワークシステム。